(57)【特許請求の範囲】
【請求項１】
出発地から目的地までの案内経路を設定して、当該案内経路によって出発地から目的地までの経路案内を行う経路案内装置であって、
車両に設けられ、当該車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、前記地図情報取得手段にて取得された地図情報に基づいて、出発地から目的地までの案内経路を設定する経路設定手段と、
前記車両に設けられ、前記経路設定手段にて設定された案内経路と前記位置情報取得手段にて取得された位置情報とに基づいて、出発地から目的地までの経路案内を行う経路案内手段と、
前記車両に設けられ、前記経路案内手段による経路案内中において、前記経路設定手段にて設定された案内経路と前記位置情報取得手段にて取得された位置情報とに基づいて、前記案内経路から前記車両が逸脱したことを検出する逸脱検出手段と、
前記車両が前記逸脱検出手段にて検出された交差点に進入する際に走行した道路に関する道路情報を当該交差点に対する進入道路を示す進入道路情報として、また、前記車両が前記逸脱検出手段にて検出された交差点から退出する際に走行した道路に関する道路情報を当該交差点に対する退出道路を示す退出道路情報として、前記車両が逸脱した交差点に関する交差点情報と関連付けられた逸脱道路情報を記憶する逸脱道路情報記憶手段と、
前記車両に設けられるものであり、前記逸脱検出手段にて前記車両が前記案内経路から逸脱したことが検出されたときの、前記車両の外部状況を取得する外部状況取得手段と、を備え、
前記経路設定手段は、前記逸脱道路情報記憶手段に記憶された前記逸脱道路情報が示す退出道路、又は前記逸脱道路情報が示す交差点及び道路と同様の交差点及び道路における退出道路に対して、案内経路に採用する際の優先度を、前記逸脱検出手段にて逸脱が検出される前よりも下げて案内経路を設定し、
前記外部状況取得手段は、前記車両の外部状況として、逸脱した交差点における前記車両の走行車線に対する対向車線の車両数を取得するものであり、
前記逸脱道路情報記憶手段は、前記外部状況取得手段にて取得した外部状況が所定の状況を満たすことを条件として前記逸脱道路情報を記憶するものであり、前記外部状況取得手段にて取得した前記車両数が所定値に達してないことを条件として、前記逸脱道路情報を記憶することを特徴とする経路案内装置。
【請求項２】
出発地から目的地までの案内経路を設定して、当該案内経路によって出発地から目的地までの経路案内を行う経路案内装置であって、
車両に設けられ、当該車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、前記地図情報取得手段にて取得された地図情報に基づいて、出発地から目的地までの案内経路を設定する経路設定手段と、
前記車両に設けられ、前記経路設定手段にて設定された案内経路と前記位置情報取得手段にて取得された位置情報とに基づいて、出発地から目的地までの経路案内を行う経路案内手段と、
前記車両に設けられ、前記経路案内手段による経路案内中において、前記経路設定手段にて設定された案内経路と前記位置情報取得手段にて取得された位置情報とに基づいて、前記案内経路から前記車両が逸脱したことを検出する逸脱検出手段と、
前記車両が前記逸脱検出手段にて検出された交差点に進入する際に走行した道路に関する道路情報を当該交差点に対する進入道路を示す進入道路情報として、また、前記車両が前記逸脱検出手段にて検出された交差点から退出する際に走行した道路に関する道路情報を当該交差点に対する退出道路を示す退出道路情報として、前記車両が逸脱した交差点に関する交差点情報と関連付けられた逸脱道路情報を記憶する逸脱道路情報記憶手段と、
前記車両に設けられるものであり、前記逸脱検出手段にて前記車両が前記案内経路から逸脱したことが検出されたときの、前記車両の外部状況を取得する外部状況取得手段と、を備え、
前記経路設定手段は、前記逸脱道路情報記憶手段に記憶された前記逸脱道路情報が示す退出道路、又は前記逸脱道路情報が示す交差点及び道路と同様の交差点及び道路における退出道路に対して、案内経路に採用する際の優先度を、前記逸脱検出手段にて逸脱が検出される前よりも下げて案内経路を設定し、
前記外部状況取得手段は、前記車両の外部状況として、前記案内経路における逸脱した交差点からの退出道路の横断歩行者数を取得するものであり、
前記逸脱道路情報記憶手段は、前記外部状況取得手段にて取得した外部状況が所定の状況を満たすことを条件として前記逸脱道路情報を記憶するものであり、前記外部状況取得手段にて取得した前記横断歩行者数が所定値に達してないことを条件として、前記逸脱道路情報を記憶することを特徴とする経路案内装置。
【請求項３】
出発地から目的地までの案内経路を設定して、当該案内経路によって出発地から目的地までの経路案内を行う経路案内装置であって、
車両に設けられ、当該車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、前記地図情報取得手段にて取得された地図情報に基づいて、出発地から目的地までの案内経路を設定する経路設定手段と、
前記車両に設けられ、前記経路設定手段にて設定された案内経路と前記位置情報取得手段にて取得された位置情報とに基づいて、出発地から目的地までの経路案内を行う経路案内手段と、
前記車両に設けられ、前記経路案内手段による経路案内中において、前記経路設定手段にて設定された案内経路と前記位置情報取得手段にて取得された位置情報とに基づいて、前記案内経路から前記車両が逸脱したことを検出する逸脱検出手段と、
前記車両が前記逸脱検出手段にて検出された交差点に進入する際に走行した道路に関する道路情報を当該交差点に対する進入道路を示す進入道路情報として、また、前記車両が前記逸脱検出手段にて検出された交差点から退出する際に走行した道路に関する道路情報を当該交差点に対する退出道路を示す退出道路情報として、前記車両が逸脱した交差点に関する交差点情報と関連付けられた逸脱道路情報を記憶する逸脱道路情報記憶手段と、
前記車両に設けられるものであり、前記逸脱検出手段にて前記車両が前記案内経路から逸脱したことが検出されたときの、前記車両の外部状況を取得する外部状況取得手段と、を備え、
前記経路設定手段は、前記逸脱道路情報記憶手段に記憶された前記逸脱道路情報が示す退出道路、又は前記逸脱道路情報が示す交差点及び道路と同様の交差点及び道路における退出道路に対して、案内経路に採用する際の優先度を、前記逸脱検出手段にて逸脱が検出される前よりも下げて案内経路を設定し、
前記外部状況取得手段は、前記車両の外部状況として、前記案内経路における逸脱した交差点の信号機の有無を取得するものであり、
前記逸脱道路情報記憶手段は、前記外部状況取得手段にて取得した外部状況が所定の状況を満たすことを条件として前記逸脱道路情報を記憶するものであり、前記外部状況取得手段にて取得した前記信号機が有ることを条件として前記逸脱道路情報を記憶することを特徴とする経路案内装置。
【請求項４】
前記車両に設けられる車両側装置と、当該車両外部のセンターに設けられるセンター側装置とを含み、当該車両側装置と当該センター側装置とは通信可能なものであり、
前記車両側装置は、
前記逸脱検出手段にて前記車両が前記案内経路から逸脱したことが検出されると、前記逸脱道路情報を運転者固有の識別情報とともに前記センター側装置に送信する車両側第１送信手段と、
前記出発地から前記目的地までの案内経路の設定が指示されると、当該出発地と当該目的地を示す情報と前記識別情報とを含む要求信号を前記センター側装置に送信する車両側第２送信手段と、
前記センター側装置から送信された情報を受信する車両側受信手段と、を備え、
前記センター側装置は、
前記車両側第１送信手段から送信された前記逸脱道路情報と前記識別情報とを受信するセンター側第１受信手段と、
前記車両側第２送信手段から送信された前記出発地と前記目的地を示す情報と前記識別情報とを含む前記要求信号を受信するセンター側第２受信手段と、
前記車両側第１送信手段から送信された前記逸脱道路情報と前記識別情報とを関連付けて記憶する前記逸脱道路情報記憶手段と、
前記要求信号を受信すると、前記逸脱道路情報記憶手段から、前記センター側第２受信手段にて受信した前記識別情報に関連付けられた前記逸脱道路情報であり、かつ、前記センター側第２受信手段にて受信した前記出発地と前記目的地を示す情報に関連する前記逸脱道路情報を検索する検索手段と、
前記検索手段にて抽出された前記逸脱道路情報を前記車両側装置に送信するセンター側送信手段と、を備えることを特徴とする請求項１乃至３のいずれか一項に記載の経路案内装置。
【請求項５】
前記センター側装置は、前記センター側第２受信手段にて受信した前記出発地と前記目的地を示す情報から当該出発地から前記目的地までの案内経路を探索する探索手段を備え、前記検索手段は、前記出発地と前記目的地を示す情報に関連する前記逸脱道路情報として、前記探索手段にて探索された案内経路における交差点を含む前記逸脱道路情報を検索することを特徴とする請求項４に記載の経路案内装置。
【請求項６】
前記検索手段は、前記出発地と前記目的地を示す情報に関連する前記逸脱道路情報として、前記探索手段にて探索された案内経路における交差点を含む前記逸脱道路情報に加えて、当該案内経路における交差点から所定範囲にある交差点を含む前記逸脱道路情報を検索することを特徴とする請求項５に記載の経路案内装置。
【発明の詳細な説明】
【技術分野】
【０００１】
本発明は、出発地から目的地までの経路案内を行う経路案内装置に関するものである。
【背景技術】
【０００２】
従来、経路案内装置の一例として、特許文献１に開示されたナビゲーション装置があった。
【０００３】
このナビゲーション装置は、車両が案内経路から逸脱した場合、案内経路方向の渋滞度合いと、実際に車両が進行した方向の渋滞度合いとを比較する。そして、この比較結果に基づいて、案内経路方向の渋滞度合いよりも実際に車両が進行した方向の渋滞度合いの方が小さい場合には、渋滞を回避する性向を表す渋滞回避指標を更新する。一方、両者が等しい場合、あるいは、案内経路方向の渋滞度合いよりも実際に車両が進行した方向の渋滞度合いの方が大きい場合には、案内経路の回避性向を表す回避指標を更新する。
【０００４】
そして、ナビゲーション装置は、この渋滞回避指標及び案内経路の回避指標を用いて目的地までの経路探索を行う。まず、目的地までの案内経路を渋滞回避指標及び案内経路の回避指標を用いずに探索して案内経路を設定する。次に、この設定された案内経路内の右折点、左折点、直進地点について渋滞度を取得し、これらの地点の前後で渋滞度が変化する地点と、それらの地点に接続する道路リンクの渋滞度を抽出する。そして、各地点について渋滞回避指標及び案内経路の回避指標と、経路方向の渋滞度と、経路から外れた方向の渋滞度とに基づいて、その地点を経路として採用するか否かを判定する。
【先行技術文献】
【特許文献】
【０００５】
【特許文献１】特開平１１−３１６１２８号公報
【発明の概要】
【発明が解決しようとする課題】
【０００６】
上述のように、特許文献１に開示されたナビゲーション装置においては、目的地までの経路を探索する際に、車両が案内経路から逸脱した場合における運転者の経路選択性向を反映することができる。
【０００７】
しかしながら、交差点の中には、交差点に対する道路の接続状態や交差点に接続された道路の形状などの道路態様によって、案内経路に該当する道路が分かりづらい場所もある。このような交差点においては、交差点に接続された道路の渋滞度や運転者の経路選択性向によらず、車両が案内経路から外れてしまうことが起こりうる。
【０００８】
本発明は、上記問題点に鑑みなされたものであり、逸脱しにくい適切な案内経路を設定することができる経路案内装置を提供することを目的とする。
【課題を解決するための手段】
【０００９】
上記目的を達成するために請求項１に記載の経路案内装置は、
出発地から目的地までの案内経路を設定して、この案内経路によって出発地から目的地までの経路案内を行う経路案内装置であって、
車両に設けられ、この車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、地図情報取得手段にて取得した地図情報に基づいて、出発地から目的地までの案内経路を設定する経路設定手段と、
車両に設けられ、経路設定手段にて設定した案内経路と位置情報取得手段にて取得した位置情報とに基づいて、出発地から目的地までの経路案内を行う経路案内手段と、
車両に設けられ、経路案内手段による経路案内中において、経路設定手段にて設定した案内経路と位置情報取得手段にて取得した位置情報とに基づいて、案内経路から車両が逸脱したことを検出する逸脱検出手段と、
車両が逸脱検出手段にて検出された交差点に進入する際に走行した道路に関する道路情報をこの交差点に対する進入道路を示す進入道路情報として、また、車両が逸脱検出手段にて検出された交差点から退出する際に走行した道路に関する道路情報をこの交差点に対する退出道路を示す退出道路情報として、車両が逸脱した交差点に関する交差点情報と関連付けられた逸脱道路情報を記憶する逸脱道路情報記憶手段と、
車両に設けられるものであり、逸脱検出手段にて車両が案内経路から逸脱したことが検出されたときの、車両の外部状況を取得する外部状況取得手段と、を備え、
経路設定手段は、逸脱道路情報記憶手段に記憶された逸脱道路情報が示す退出道路、又は逸脱道路情報が示す交差点及び道路と同様の交差点及び道路における退出道路に対して、案内経路に採用する際の優先度を、逸脱検出手段にて逸脱が検出される前よりも下げて案内経路を設定し、
外部状況取得手段は、車両の外部状況として、逸脱した交差点における車両の走行車線に対する対向車線の車両数を取得するものであり、
逸脱道路情報記憶手段は、外部状況取得手段にて取得した外部状況が所定の状況を満たすことを条件として逸脱道路情報を記憶するものであり、外部状況取得手段にて取得した車両数が所定値に達してないことを条件として、逸脱道路情報を記憶することを特徴とするものである。
【００１０】
実際に車両が案内経路から逸脱した交差点及びそのときの進入道路と退出道路は、次に走行する際にも逸脱しそうな経路（交差点、進入道路、退出道路）とみなすことができる。また、このような交差点及びそのときの進入道路と退出道路と同様の交差点及び道路（進入道路と退出道路）は、逸脱しそうな経路（交差点、進入道路、退出道路）とみなすことができる。つまり、このような経路は、案内経路において右折又は左折が案内される交差点であることが分かりづらい（つまり、見逃しやすい、見落としやすい）経路と換言することができる。
【００１１】
そこで、上述のように、実際に車両が案内経路から逸脱した交差点及びそのときの進入道路と退出道路に関する逸脱道路情報を記憶しておく。そして、案内経路を設定する際には、逸脱しそうな経路（交差点、進入道路、退出道路）における退出道路に対して、案内経路に採用する際の優先度を、逸脱が検出される前よりも下げて案内経路を設定することによって、案内経路に上述のような経路が含まれることを抑制でき、逸脱しにくい適切な案内経路を設定することができる。
【００１２】
しかしながら、車両が案内経路から逸脱するか否かは、車両の外部状況によってかわることもありうる。つまり、同じ交差点、進入道路、退出道路であっても、車両の外部状況によって、案内経路から逸脱する場合もあるし、逸脱しない場合もある。
【００１３】
そこで、請求項１に示すように、車両に設けられるものであり、逸脱検出手段にて車両が案内経路から逸脱したことが検出されたときの、車両の外部状況を取得する外部状況取得手段を備え、逸脱道路情報記憶手段は、外部状況取得手段にて取得した外部状況が所定の状況を満たすことを条件として、逸脱道路情報を記憶するようにしてもよい。
【００１４】
このように、車両が案内経路から逸脱したときの外部状況が所定の状況を満たすことを条件として、逸脱道路情報を記憶することで、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。
【００１５】
また、請求項１に示すように、外部状況取得手段は、車両の外部状況として、逸脱した交差点における車両の走行車線に対する対向車線の車両数を取得するものであり、逸脱道路情報記憶手段は、車両数が所定値に達してないことを条件として逸脱道路情報を記憶するようにしてもよい。
【００１６】
このように、車両の外部状況としては、逸脱したときの交差点における対向車線の車両数を採用することができる。例えば、案内経路に従って交差点を右折しようとしたとき、対向車線の車両数が多かった場合、運転者は、右折に時間がかかるのを嫌がって（待ち時間を嫌がって）、又は、右折しづらいので、案内経路から逸脱した経路を選択した可能性がある。つまり、運転者は、意図的に案内経路から逸脱した経路を選択したと考えることができる。
【００１７】
一方、対向車線の車両数がさほど多くなかった場合は、運転者は、右折に時間がかからない、又は、右折しづらくないにもかかわらず、案内経路から逸脱した経路を選択した可能性がある。このような場合、運転者は、案内交差点（右折又は左折が案内される交差点）を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【００１８】
よって、請求項１に示すようにすることによって、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。
【００１９】
また、上記目的を達成するために請求項２に記載の経路案内装置は、
出発地から目的地までの案内経路を設定して、この案内経路によって出発地から目的地までの経路案内を行う経路案内装置であって、
車両に設けられ、この車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、地図情報取得手段にて取得した地図情報に基づいて、出発地から目的地までの案内経路を設定する経路設定手段と、
車両に設けられ、経路設定手段にて設定した案内経路と位置情報取得手段にて取得された位置情報とに基づいて、出発地から目的地までの経路案内を行う経路案内手段と、
車両に設けられ、経路案内手段による経路案内中において、経路設定手段にて設定した案内経路と位置情報取得手段にて取得した位置情報とに基づいて、案内経路から車両が逸脱したことを検出する逸脱検出手段と、
車両が逸脱検出手段にて検出された交差点に進入する際に走行した道路に関する道路情報を交差点に対する進入道路を示す進入道路情報として、また、車両が逸脱検出手段にて検出された交差点から退出する際に走行した道路に関する道路情報をこの交差点に対する退出道路を示す退出道路情報として、車両が逸脱した交差点に関する交差点情報と関連付けられた逸脱道路情報を記憶する逸脱道路情報記憶手段と、
車両に設けられるものであり、逸脱検出手段にて車両が案内経路から逸脱したことが検出されたときの、車両の外部状況を取得する外部状況取得手段と、を備え、
経路設定手段は、逸脱道路情報記憶手段に記憶された逸脱道路情報が示す退出道路、又は逸脱道路情報が示す交差点及び道路と同様の交差点及び道路における退出道路に対して、案内経路に採用する際の優先度を、逸脱検出手段にて逸脱が検出される前よりも下げて案内経路を設定し、
外部状況取得手段は、車両の外部状況として、案内経路における逸脱した交差点からの退出道路の横断歩行者数を取得するものであり、
逸脱道路情報記憶手段は、外部状況取得手段にて取得した外部状況が所定の状況を満たすことを条件として逸脱道路情報を記憶するものであり、外部状況取得手段にて取得した横断歩行者数が所定値に達してないことを条件として、逸脱道路情報を記憶することを特徴とするものである。
【００２０】
実際に車両が案内経路から逸脱した交差点及びそのときの進入道路と退出道路は、次に走行する際にも逸脱しそうな経路（交差点、進入道路、退出道路）とみなすことができる。また、このような交差点及びそのときの進入道路と退出道路と同様の交差点及び道路（進入道路と退出道路）は、逸脱しそうな経路（交差点、進入道路、退出道路）とみなすことができる。つまり、このような経路は、案内経路において右折又は左折が案内される交差点であることが分かりづらい（つまり、見逃しやすい、見落としやすい）経路と換言することができる。そこで、上述のように、実際に車両が案内経路から逸脱した交差点及びそのときの進入道路と退出道路に関する逸脱道路情報を記憶しておく。そして、案内経路を設定する際には、逸脱しそうな経路（交差点、進入道路、退出道路）における退出道路に対して、案内経路に採用する際の優先度を、逸脱が検出される前よりも下げて案内経路を設定することによって、案内経路に上述のような経路が含まれることを抑制でき、逸脱しにくい適切な案内経路を設定することができる。しかしながら、車両が案内経路から逸脱するか否かは、車両の外部状況によってかわることもありうる。つまり、同じ交差点、進入道路、退出道路であっても、車両の外部状況によって、案内経路から逸脱する場合もあるし、逸脱しない場合もある。そこで、請求項２に示すように、車両に設けられるものであり、逸脱検出手段にて車両が案内経路から逸脱したことが検出されたときの、車両の外部状況を取得する外部状況取得手段を備え、逸脱道路情報記憶手段は、外部状況取得手段にて取得した外部状況が所定の状況を満たすことを条件として、逸脱道路情報を記憶するようにしてもよい。このように、車両が案内経路から逸脱したときの外部状況が所定の状況を満たすことを条件として、逸脱道路情報を記憶することで、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。また、請求項２に示すように、外部状況取得手段は、車両の外部状況として、案内経路における逸脱した交差点からの退出道路の横断歩行者数を取得するものであり、逸脱道路情報記憶手段は、横断歩行者数が所定値に達してないことを条件として逸脱道路情報を記憶するようにしてもよい。このように、車両の外部状況としては、逸脱したときの案内経路における退出道路の横断歩行者数を採用することができる。例えば、案内経路に従って交差点を右折又は左折しようとしたとき、退出道路の横断歩行者数が多かった場合、運転者は、右折又は左折に時間がかかるのを嫌がって（待ち時間を嫌がって）、又は、右折又は左折しづらいので、案内経路から逸脱した経路を選択した可能性がある。つまり、運転者は、意図的に案内経路から逸脱した経路を選択したと考えることができる。
【００２１】
一方、退出道路の横断歩行者数がさほど多くなかった場合は、運転者は、右折又は左折に時間がかからない、又は、右折又は左折しづらくないにもかかわらず、案内経路から逸脱した経路を選択した可能性がある。このような場合、運転者は、案内交差点を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【００２２】
よって、請求項２に示すようにすることによって、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。
【００２７】
また、上記目的を達成するために請求項３に記載の経路案内装置は、
出発地から目的地までの案内経路を設定して、この案内経路によって出発地から目的地までの経路案内を行う経路案内装置であって、
車両に設けられ、この車両の位置に関する位置情報を取得する位置情報取得手段と、
車両に設けられ、各交差点に関する交差点情報と、各交差点に接続された道路に関する道路情報とを含む地図情報を取得する地図情報取得手段と、
車両に設けられ、地図情報取得手段にて取得した地図情報に基づいて、出発地から目的地までの案内経路を設定する経路設定手段と、
車両に設けられ、経路設定手段にて設定した案内経路と位置情報取得手段にて取得された位置情報とに基づいて、出発地から目的地までの経路案内を行う経路案内手段と、
車両に設けられ、経路案内手段による経路案内中において、経路設定手段にて設定された案内経路と位置情報取得手段にて取得した位置情報とに基づいて、案内経路から車両が逸脱したことを検出する逸脱検出手段と、
車両が逸脱検出手段にて検出された交差点に進入する際に走行した道路に関する道路情報をこの交差点に対する進入道路を示す進入道路情報として、また、車両が逸脱検出手段にて検出された交差点から退出する際に走行した道路に関する道路情報をこの交差点に対する退出道路を示す退出道路情報として、車両が逸脱した交差点に関する交差点情報と関連付けられた逸脱道路情報を記憶する逸脱道路情報記憶手段と、
車両に設けられるものであり、逸脱検出手段にて車両が案内経路から逸脱したことが検出されたときの、車両の外部状況を取得する外部状況取得手段と、を備え、
経路設定手段は、逸脱道路情報記憶手段に記憶された逸脱道路情報が示す退出道路、又は逸脱道路情報が示す交差点及び道路と同様の交差点及び道路における退出道路に対して、案内経路に採用する際の優先度を、逸脱検出手段にて逸脱が検出される前よりも下げて案内経路を設定し、
外部状況取得手段は、車両の外部状況として、案内経路における逸脱した交差点の信号機の有無を取得するものであり、
逸脱道路情報記憶手段は、外部状況取得手段にて取得した外部状況が所定の状況を満たすことを条件として逸脱道路情報を記憶するものであり、外部状況取得手段にて取得した信号機が有ることを条件として逸脱道路情報を記憶することを特徴とするものである。
【００２８】
実際に車両が案内経路から逸脱した交差点及びそのときの進入道路と退出道路は、次に走行する際にも逸脱しそうな経路（交差点、進入道路、退出道路）とみなすことができる。また、このような交差点及びそのときの進入道路と退出道路と同様の交差点及び道路（進入道路と退出道路）は、逸脱しそうな経路（交差点、進入道路、退出道路）とみなすことができる。つまり、このような経路は、案内経路において右折又は左折が案内される交差点であることが分かりづらい（つまり、見逃しやすい、見落としやすい）経路と換言することができる。そこで、上述のように、実際に車両が案内経路から逸脱した交差点及びそのときの進入道路と退出道路に関する逸脱道路情報を記憶しておく。そして、案内経路を設定する際には、逸脱しそうな経路（交差点、進入道路、退出道路）における退出道路に対して、案内経路に採用する際の優先度を、逸脱が検出される前よりも下げて案内経路を設定することによって、案内経路に上述のような経路が含まれることを抑制でき、逸脱しにくい適切な案内経路を設定することができる。しかしながら、車両が案内経路から逸脱するか否かは、車両の外部状況によってかわることもありうる。つまり、同じ交差点、進入道路、退出道路であっても、車両の外部状況によって、案内経路から逸脱する場合もあるし、逸脱しない場合もある。そこで、請求項３に示すように、車両に設けられるものであり、逸脱検出手段にて車両が案内経路から逸脱したことが検出されたときの、車両の外部状況を取得する外部状況取得手段を備え、逸脱道路情報記憶手段は、外部状況取得手段にて取得した外部状況が所定の状況を満たすことを条件として、逸脱道路情報を記憶するようにしてもよい。このように、車両が案内経路から逸脱したときの外部状況が所定の状況を満たすことを条件として、逸脱道路情報を記憶することで、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。また、請求項３に示すように、外部状況取得手段は、車両の外部状況として、案内経路における逸脱した交差点の信号機の有無を取得するものであり、逸脱道路情報記憶手段は、信号機が有ることを条件として逸脱道路情報を記憶するようにしてもよい。このように、車両の外部状況としては、逸脱したときの交差点の信号機の有無を採用することができる。例えば、案内経路において右折又は左折が案内された案内交差点で逸脱したとき、案内交差点に信号機が無かった場合、運転者は、交差点に気づかず、案内経路から逸脱した経路を選択したと考えることができる。従って、次回以降、この経路（交差点、進入道路、退出道路）又は同様の経路を走行する際に、案内交差点に信号機があると、案内経路から逸脱しない可能性がある。
【００２９】
一方、案内交差点に信号機が有った場合は、運転者は、交差点は認識していたが、案内交差点であることがわからずに、案内経路から逸脱した経路を選択したと考えることができる。従って、次回以降、この経路（交差点、進入道路、退出道路）又は同様の経路を走行する際に、案内交差点に信号機が有っても、案内経路から逸脱する可能性が高いとみなすことができる。
【００３０】
よって、請求項３に示すようにすることによって、逸脱する可能性が高い経路（交差点、進入道路、退出道路）、つまり、案内経路において右折又は左折が案内される交差点であることが分かりづらい交差点における退出道路の優先度を下げることができ、より一層適切な案内経路を設定することができる。
【００５９】
また、請求項４に示すように、車両に設けられる車両側装置と、車両外部のセンターに設けられるセンター側装置とを含み、車両側装置とセンター側装置とは通信可能なものであり、
車両側装置は、
逸脱検出手段にて車両が案内経路から逸脱したことが検出されると、逸脱道路情報を運転者固有の識別情報とともにセンター側装置に送信する車両側第１送信手段と、
出発地から目的地までの案内経路の設定が指示されると、出発地と目的地を示す情報と識別情報とを含む要求信号をセンター側装置に送信する車両側第２送信手段と、
センター側装置から送信された情報を受信する車両側受信手段と、を備え、
センター側装置は、
車両側第１送信手段から送信された逸脱道路情報と識別情報とを受信するセンター側第１受信手段と、
車両側第２送信手段から送信された出発地と目的地を示す情報と識別情報とを含む要求信号を受信するセンター側第２受信手段と、
車両側第１送信手段から送信された逸脱道路情報と識別情報とを関連付けて記憶する逸脱道路情報記憶手段と、
要求信号を受信すると、逸脱道路情報記憶手段から、センター側第２受信手段にて受信した識別情報に関連付けられた逸脱道路情報であり、かつ、センター側第２受信手段にて受信した出発地と目的地を示す情報に関連する逸脱道路情報を検索する検索手段と、
検索手段にて抽出された逸脱道路情報を車両側装置に送信するセンター側送信手段と、を備えるようにしてもよい。
【００６０】
このようにすることによって、運転者が自身の車両（例えば、レンタカーなど）以外を運転するときでも、逸脱しにくい適切な案内経路を設定することができる。
【００６１】
また、請求項５に示すように、センター側装置は、センター側第２受信手段にて受信した出発地と目的地を示す情報から出発地から目的地までの案内経路を探索する探索手段を備え、検索手段は、出発地と目的地を示す情報に関連する逸脱道路情報として、探索手段にて探索された案内経路における交差点を含む逸脱道路情報を検索するようにしてもよい。
【００６２】
また、請求項６に示すように、検索手段は、出発地と目的地を示す情報に関連する逸脱道路情報として、探索手段にて探索された案内経路における交差点を含む逸脱道路情報に加えて、案内経路における交差点から所定範囲にある交差点を含む逸脱道路情報を検索するようにしてもよい。
【図面の簡単な説明】
【００６３】
【図１】本発明の実施の形態におけるカーナビ１００の概略構成を示すブロック図である。
【図２】本発明の実施の形態におけるカーナビ１００の逸脱道路情報の記憶処理を示すフローチャートである。
【図３】本発明の実施の形態におけるカーナビ１００の案内経路の設定処理を示すフローチャートである。
【図４】車両が案内経路から逸脱した一例における、案内経路と実際の走行経路との関係をリンクとノードで示した図面である。
【図５】変形例１における経路案内装置の概略構成を示すブロック図である。
【図６】変形例１におけるカーナビ１００の逸脱道路情報の送信処理を示すフローチャートである。
【図７】変形例１におけるセンター２００の逸脱道路情報の登録処理を示すフローチャートである。
【図８】変形例１におけるカーナビ１００の案内経路の設定処理を示すフローチャートである。
【図９】変形例１におけるセンター２００の逸脱道路情報の送信処理を示すフローチャートである。
【図１０】変形例２におけるカーナビ１００の逸脱道路情報の送信処理を示すフローチャートである。
【図１１】変形例２におけるカーナビ１００の進入リンク確認処理を示すフローチャートである。
【図１２】変形例２におけるカーナビ１００のノード確認処理を示すフローチャートである。
【図１３】変形例２におけるカーナビ１００の退出リンク確認処理を示すフローチャートである。
【図１４】変形例２におけるカーナビ１００の外部要因確認処理を示すフローチャートである。
【発明を実施するための形態】
【００６４】
以下、本発明の実施の形態における経路案内装置を図１〜図４に基づいて説明する。
【００６５】
本実施の形態におけるカーナビゲーション装置（経路案内装置、以下、カーナビとも称する）１００は、車両に搭載されて、出発地から目的地までの案内経路を設定して、この案内経路によって出発地から目的地までの経路案内を行うものである。このカーナビ１００は、図１に示すように、位置検出器２０、地図データ入力器３０、通信装置４０、操作スイッチ群５０、記憶装置６０、表示装置７０、音声出力装置８０、ボイスレコーダ９０及び、これらが接続された制御装置１０など備える。
【００６６】
この制御装置１０は、周知のコンピュータとして構成されており、内部にはＣＰＵ、ＲＯＭ、ＲＡＭ、Ｉ／Ｏ及びこれらの構成を接続するバスラインが備えられている。この制御装置１０は、例えば、地図データ入力器３０から取得した地図情報に基づいて出発地から目的地までの案内経路を設定（経路設定手段）したり、案内経路と位置検出器２０から取得した位置情報とに基づいて案内経路から車両が逸脱したことを検出（逸脱検出手段）したり、車両が案内経路から逸脱したときの情報である逸脱道路情報を記憶装置６０などに記憶（逸脱道路情報記憶手段）したりする機能を備えるものである。なお、制御装置１０が実行する処理のうち本発明の特徴部分に関しては、後ほど詳しく説明する。
【００６７】
位置検出器２０は、車両の位置を検出して、その位置に関する位置情報を制御装置１０に出力するものであり、いずれも周辺の地磁気センサ２１、ジャイロスコープ２２、車速センサ２３、及び衛星からの電波に基づいて車両の位置を検出するＧＰＳ（Global Positioning System）のためのＧＰＳ受信機２４を有している。これらのセンサ等２１，２２，２３，２４は各々が性質の異なる誤差を持っているため、複数のセンサにより各々補完しながら使用するように構成されている。なお精度によっては上述した内の一部で構成してもよく、更にステアリングの回転センサ、各転動輪の車両センサ等を用いてもよい。つまり、制御装置１０は、この位置検出器２０から車両の位置に関する位置情報を取得する（位置情報取得手段）。
【００６８】
地図データ入力部３０は、位置検出の精度向上のためのいわゆるマップマッチング用データ、地図データ（地図情報）及び目印データ（目印情報）を含む各種データを制御装置１０に入力するための装置である。また、地図データとしては、交差点を識別する情報（例えば、ノードＩＤ）などを含む交差点に関するデータ（換言すると、交差点に関する交差点情報、又はノードデータ）、道路を識別する情報（例えばリンクＩＤ）などを含む道路に関するデータ（換言すると、道路に関する情報、又はリンクデータ）を含むものである。媒体としては、ＣＤ−ＲＯＭ、ＤＶＤ−ＲＯＭ、メモリカード、ハードディスクドライブ等を用いることができ、特に限定されるものではない。つまり、制御装置１０は、この地図データ入力部６から各種データを取得する（地図情報取得手段）。換言すると、制御装置１０は、この地図データ入力部６から各交差点に関する交差点情報と、各交差点に接続された道路に関する道路情報とを含む地図データを取得する（地図情報取得手段）。
【００６９】
なお、ノードデータは、ノードの識別番号であるノードＩＤと、ノードの座標、ノードに接続される全リンクのリンクＩＤ、ノード種別（交差点、合流地点等の種別）、ノードを表す画像の識別番号である画像ＩＤ、交差点の信号機の有無を示す情報などのノードの特性情報とからなるデータである。さらに、ノードに接続されるリンク間の角度を示す情報も含むものである。
【００７０】
リンクデータは、リンクの識別番号であるリンクＩＤ、リンク長、始点及び終点に接続する各ノードのノードＩＤ、高速道路、有料道路、一般道路、市街地／郊外道路、山間部道路等の道路種別、道路幅員、車線数、リンク走行時間、法定制限速度、道路の勾配、その道路を走行するのに掛かる距離や時間に関する経路コスト等の各データから構成されている。
【００７１】
通信装置４０は、ＶＩＣＳ（道路交通情報通信システム：Vehicle Information and Communication Systems、登録商標）センターやプローブ情報配信センターなどから配信される渋滞情報（渋滞度を示す情報などを含む）や走行車線の規制情報、プローブ情報配信センターから配信される走行車線の車両数を示す情報（例えば、所定時間の間に交差点を通過する車両の数を示す情報）、横断歩行者数を示す情報（例えば、所定時間の間に交差点を横断する歩行者の数を示す情報）、交差点の信号機の有無を示す情報などを受信する通信装置である。なお、この車両数を示す情報、横断歩行者数を示す情報、交差点の信号機の有無を示す情報は、車両に搭載された車載カメラによって撮影された画像から算出するようにしてもよい。制御装置１０は、この通信装置４０から渋滞度を示す情報、車両数を示す情報、横断歩行者数を示す情報、交差点の信号機の有無を示す情報を取得する（外部状況取得手段）。なお、渋滞度、車両数、横断歩行者数、交差点の信号機の有無を車両の外部状況とも称する。また、交差点の信号機の有無を示す情報は、地図データ入力部３０から取得してもよい。
【００７２】
操作スイッチ群５０は、例えば、後述する表示装置７０と一体に構成され表示画面上に設置されるタッチスイッチ、表示装置７０の表示画面周囲に設けられたプッシュ型のハードスイッチなどを採用することができ、各種入力に使用される。例えば、ユーザーの操作によって出発地の位置情報などを含む出発地情報や目的地の位置情報などを含む目的地情報などの各種情報、及び出発地（例えば、現在位置）から目的地までの案内経路（推奨経路）の探索指示などのナビゲーション装置１００が実行する機能に対応付けられた操作信号を制御装置１０に入力するためのものである。また、制御装置１０は、この操作スイッチ群５０から操作信号を取得することで、操作スイッチ群５０の操作状況を示す情報を取得する（室内状況取得手段）。つまり、制御装置１０は、この操作スイッチ群５０から操作信号を取得することで、操作スイッチ群５０の操作状況を判断する。
【００７３】
記憶装置６０は、制御装置１０内で取り扱うデータなどを必要に応じて記憶しておくためのもので、例えば、後ほど説明する逸脱道路情報などを記憶することができる。なお、この記憶装置６０は、例えば、データの書き込みや読み出しが可能な不揮発性の記憶媒体で構成することができる。
【００７４】
表示装置７０は、例えば、インストルメントパネルなどに設けられるカラー液晶表示装置などを採用することができる。この表示装置７０の画面には、位置検出器２０によって検出された車両の現在位置を示す車両マークと、地図データ入力器３０より取得した地図データと、更に地図上に表示する誘導経路等付加データとを重ねて表示することが出来る。
【００７５】
音声出力装置８０は、例えば、車室内に設けられたオーディオ装置やテレビなどの音声を出力するスピーカである。ボイスレコーダ９０は、車室内に設けられたマイクによって、車両の乗員の会話を録音するものである。例えば、入力装置としての音声認識装置や、交通事故、車両や同部品などの盗難事件の解明のために用いられるドライブレコーダなどに設けられるボイスレコーダを採用することができる。制御装置１０は、この音声出力装置８０から車両の室内における音声出力状況を示す情報を取得するとともに、ボイスレコーダ９０から車両の室内における会話状況を示す情報を取得する（室内状況取得手段）。なお、音声出力状況、会話状況、及び上述の操作スイッチ群５０の操作状況を車両の室内状況とも称する。
【００７６】
このように構成されたカーナビ１００においては、制御装置１０は、ユーザーの操作によって操作スイッチ群５０により目的地情報や経路探索の指示などを示す操作信号が入力されると、地図データ入力器３０から取得したデータを用いて、出発地（例えば、現在位置）からその目的地までの最適な経路（例えば、出発地から目的地まで最短時間で到達できる経路など）を自動的に選択して案内経路（推奨経路）を探索（設定）する。そして、制御装置１０は、探索した案内経路（推奨経路）と、位置検出器２０から取得した位置情報と地図データ入力器３０から取得したデータとにより算出する車両の位置とにより、表示する地図の向きを決定し、車両マークと、地図データと、誘導経路等付加データとを重ねて表示装置７０に表示する。なお、このような自動的に最適な経路を設定する手法としては、ダイクストラ法等の手法を採用することができる。さらに、本実施の形態におけるカーナビ１００は、案内経路を設定する際に逸脱道路情報を考慮するものである。これは、本発明の特徴部分である。
【００７７】
ここで、本実施の形態におけるカーナビ１００の処理動作に関して説明する。
【００７８】
まず、図２に示すフローチャートに基づいて、カーナビ１００の逸脱道路情報の記憶処理に関して説明する。この図２に示すフローチャートは、経路案内が開始されるとスタートする。
【００７９】
ステップＳ１０では、車両の現在位置を検出する。つまり、位置検出器２０によって、車両の現在位置を検出する。そして、制御装置１０は、位置検出器２０から車両の位置に関する位置情報を取得する（位置情報取得手段）。
【００８０】
ステップＳ１１では、車両の現在位置と設定されている案内経路とを比較する。つまり、制御装置１０は、車両が案内経路から逸脱しているか否かを検出するために、ステップＳ１０で取得した位置情報が示す車両の現在位置と、設定されている案内経路とを比較する。
【００８１】
ステップＳ１２では、車両が案内経路から外れたか否（逸脱したか否か）かを判定する。つまり、制御装置１０は、ステップＳ１１での比較結果によって、車両の現在位置が案内経路上にあるか否かによって、車両が案内経路から外れたか否（逸脱したか否）かを判定する。そして、案内経路から外れたと判定した場合はステップＳ１３へ進み、案内経路から外れてないと判定した場合はステップＳ１０に戻る。このように、制御装置１０は、経路案内中において、設定された案内経路とステップＳ１０で取得した位置情報とに基づいて、案内経路から車両が逸脱したことを検出する（逸脱検出手段）。例えば、図４に示すように、案内経路がリンクＬ１〜ノードＮ１〜リンクＬ５〜ノードＮ３〜リンクＬ４〜ノードＮ４であり、実際の走行経路がリンクＬ１〜ノードＮ１〜リンクＬ２〜ノードＮ２〜リンクＬ３〜ノードＮ３〜リンクＬ４〜ノードＮ４であった場合、車両の現在位置がリンクＬ２、又はノードＮ２、又はリンクＬ３上にあることが検出されると、案内経路から外れたと判定される。
【００８２】
ステップＳ１３では、車両が案内経路から逸脱した時の状況（状況を示す情報）を取得して、例えばＲＡＭなどに記憶する。具体的には、制御装置１０は、車両が案内経路から逸脱したことが検出されたときの、車両の外部状況を取得する（外部状況取得手段）。つまり、制御装置１０は、この外部状況として、通信装置４０から逸脱した交差点における車両（自車両）の走行車線に対する対向車線の車両数を示す情報、案内経路における逸脱した交差点からの退出道路の横断歩行者数を示す情報、案内経路における逸脱した交差点からの退出道路の渋滞度を示す情報、案内経路における逸脱した交差点の信号機の有無を示す情報を取得する（外部状況取得手段）。また、制御装置１０は、車速センサ２３から、車両が案内経路から逸脱したことが検出されたときの、車両の車速信号を取得する（車速信号取得手段）。さらに、制御装置１０は、操作スイッチ群５０、音声出力装置８０、ボイスレコーダ９０から車両が案内経路から逸脱したことが検出されたときの、車両の室内状況を取得する（室内状況取得手段）。つまり、制御装置１０は、この室内状況として、操作スイッチ群５０から車両の室内における操作スイッチ群５０の操作状況を取得する（室内状況取得手段）。また、制御装置１０は、この室内状況として、音声出力装置８０から車両の室内における音声出力状況を取得する（室内状況取得手段）。また、制御装置１０は、この室内状況として、ボイスレコーダ９０から車両の室内における会話状況を取得する（室内状況取得手段）。
【００８３】
なお、制御装置１０は、車両が案内経路から逸脱したことが検出されたときの交差点に関する交差点情報、車両が案内経路から逸脱したことが検出されたときに交差点に進入する際に走行した道路に関する道路情報、車両が案内経路から逸脱したことが検出されたときに交差点から退出する際に走行した道路に関する道路情報を、例えばＲＡＭなどに記憶しておく。これらの情報は、後ほど説明する逸脱道路情報に用いられる。
【００８４】
なお、後ほど説明するが、本実施の形態におけるカーナビ１００は、この逸脱道路情報が示す退出道路、又はこの逸脱道路情報が示す交差点及び道路と同様の交差点及び道路における退出道路に対して、案内経路に採用する際の優先度を、逸脱が検出される前よりも下げて案内経路を設定する（経路設定手段）ものである。
【００８５】
ステップＳ１４では、制御装置１０は、逸脱道路情報を記憶（登録）するか否かを判定する。つまり、上述の車両が案内経路から逸脱したことが検出されたときに、ＲＡＭなどに記憶された交差点情報及び道路情報を逸脱道路情報として記憶（登録）するか否かを判定する。この判定は、ステップＳ１３で取得した状況に基づいて判定するものである。よって、ステップＳ１３で取得した状況は、この交差点情報及び道路情報を逸脱道路情報として記憶（登録）するか否かを判定するための情報である。
【００８６】
実際に車両が案内経路から逸脱した交差点及びそのときの進入道路と退出道路は、次に走行する際にも逸脱しそうな経路（交差点、進入道路、退出道路）とみなすことができる。また、このような交差点及びそのときの進入道路と退出道路と同様の交差点及び道路（進入道路と退出道路）は、逸脱しそうな経路（交差点、進入道路、退出道路）とみなすことができる。つまり、このような経路は、案内経路において右折又は左折が案内される交差点であることが分かりづらい（つまり、見逃しやすい、見落としやすい）経路と換言することができる。
【００８７】
しかしながら、車両が案内経路から逸脱するか否かは、逸脱したときの車両の外部状況、逸脱したときの車速、逸脱したときの車両の室内状況によってかわることもありうる。つまり、同じ交差点、進入道路、退出道路であっても、これらの状況によって、案内経路から逸脱する場合もあるし、逸脱しない場合もある。
【００８８】
そこで、本実施の形態においては、ステップＳ１３で取得した状況に基づいて、逸脱道路情報を記憶（登録）するか否かを判定する。そして、ステップＳ１５では、制御装置１０は、ステップＳ１４で記憶すると判定されると、逸脱が検出された交差点に車両が進入するときに走行した道路に関する道路情報を交差点に対する進入道路を示す進入道路情報として、また、逸脱が検出された交差点から車両が退出する際に走行した道路に関する道路情報を交差点に対する退出道路を示す退出道路情報として、車両が逸脱した交差点に関する交差点情報と関連付けられた逸脱道路情報を記憶装置６０などに記憶する。
【００８９】
つまり、本実施の形態におけるカーナビ１００は、外部状況が所定の状況を満たすことを条件として、逸脱道路情報を記憶する。又は、車速信号が所定値に達してないことを条件として、逸脱道路情報を記憶する。又は、車内室状況が所定の状況を満たすことを条件として、逸脱道路情報を記憶する。
【００９０】
ここで、上述の状況毎に逸脱道路情報を記憶する際の処理を説明する。
【００９１】
まず、車両数を採用する場合、逸脱した交差点における車両（自車両）の走行車線に対する対向車線の車両数が所定値に達してないことを条件として逸脱道路情報を記憶する。例えば、案内経路に従って交差点を右折しようとしたとき、対向車線の車両数が多かった場合、運転者は、右折に時間がかかるのを嫌がって（待ち時間を嫌がって）、又は、右折しづらいので、案内経路から逸脱した経路を選択した可能性がある。つまり、運転者は、意図的に案内経路から逸脱した経路を選択したと考えることができる。
【００９２】
一方、対向車線の車両数がさほど多くなかった場合は、運転者は、さほど右折に時間がかからない、又は、右折しづらくないにもかかわらず、案内経路から逸脱した経路を選択した可能性がある。このような場合、運転者は、案内交差点（右折又は左折が案内される交差点）を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【００９３】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【００９４】
次に、横断歩行者数を採用する場合、案内経路における逸脱した交差点からの退出道路の横断歩行者数が所定値に達してないことを条件として逸脱道路情報を記憶する。このように、車両の外部状況としては、逸脱したときの案内経路における退出道路の横断歩行者数を採用することができる。例えば、案内経路に従って交差点を右折又は左折しようとしたとき、退出道路の横断歩行者数が多かった場合、運転者は、右折又は左折に時間がかかるのを嫌がって（待ち時間を嫌がって）、又は、右折又は左折しづらいので、案内経路から逸脱した経路を選択した可能性がある。つまり、運転者は、意図的に案内経路から逸脱した経路を選択したと考えることができる。
【００９５】
一方、退出道路の横断歩行者数がさほど多くなかった場合は、運転者は、さほど右折又は左折に時間がかからない、又は、右折又は左折しづらくないにもかかわらず、案内経路から逸脱した経路を選択した可能性がある。このような場合、運転者は、案内交差点を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【００９６】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【００９７】
次に、渋滞度を採用する場合、案内経路における逸脱した交差点からの退出道路の渋滞度が所定値に達してないことを条件として逸脱道路情報を記憶する。例えば、案内経路に従って交差点を右折又は左折しようとしたとき、退出道路が渋滞していた場合、運転者は、渋滞を嫌がって、案内経路から逸脱した経路を選択した可能性がある。つまり、運転者は、意図的に案内経路から逸脱した経路を選択したと考えることができる。
【００９８】
一方、退出道路がさほど渋滞してなかった場合は、運転者は、渋滞していないにもかかわらず、案内経路から逸脱した経路を選択した可能性がある。このような場合、運転者は、案内交差点を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【００９９】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１００】
次に、信号機の有無を採用する場合、案内経路における逸脱した交差点に信号機が有ることを条件として逸脱道路情報を記憶する。例えば、案内経路において右折又は左折が案内された案内交差点で逸脱したとき、案内交差点に信号機が無かった場合、運転者は、交差点に気づかず、案内経路から逸脱した経路を選択したと考えることができる。従って、次回以降、この経路（交差点、進入道路、退出道路）又は同様の経路を走行する際に、案内交差点に信号機があると、案内経路から逸脱しない可能性がある。
【０１０１】
一方、案内交差点に信号機が有った場合は、運転者は、交差点は認識していたが、案内交差点であることがわからずに、案内経路から逸脱した経路を選択したと考えることができる。従って、次回以降、この経路（交差点、進入道路、退出道路）又は同様の経路を走行する際に、案内交差点に信号機が有っても、案内経路から逸脱する可能性が高いとみなすことができる。
【０１０２】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１０３】
次に、車両の車速を採用する場合、車両が案内経路から逸脱したことが検出されたとき、車両の車速信号が所定値に達してないことを条件として、逸脱道路情報を記憶する。例えば、案内経路において右折又は左折が案内された案内交差点で逸脱したとき、車両が比較的速い速度で走行していた場合、運転者は、案内交差点に気づいてはいたが、走行速度が速かったことで、案内経路から逸脱した経路を選択したと考えることができる。従って、次回以降、この経路（交差点、進入道路、退出道路）又は同様の経路を走行する際に、走行速度がさほど速くないと、案内経路から逸脱しない可能性がある。
【０１０４】
一方、車両がさほど速くない速度で走行していた場合、運転者は、例えば、交差点が複雑で、どの退出道路に進めばいいか迷って、案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１０５】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１０６】
次に、会話状況を採用する場合、車両が案内経路から逸脱したことが検出されたとき、車両の運転者が会話中でないことを条件として、逸脱道路情報を記憶する。例えば、案内経路から逸脱したとき、運転者が会話中であった場合、運転者は、会話に夢中になっていたので、案内経路から逸脱した経路を選択したと考えることができる。従って、次回以降、この経路（交差点、進入道路、退出道路）又は同様の経路を走行する際に、運転者が会話していなかったら、案内経路から逸脱しない可能性がある。
【０１０７】
一方、案内経路から逸脱したとき、運転者が会話中でなかった場合、運転者は、案内交差点を見落として、案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１０８】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１０９】
次に、音声出力状況を採用する場合、車両が案内経路から逸脱したことが検出されたとき、室内に音声が出力されてないことを条件として、逸脱道路情報を記憶する。例えば、案内経路から逸脱したとき、運転者が音楽を聴いていた場合、運転者は、音楽に夢中になっていたので、案内経路から逸脱した経路を選択したと考えることができる。従って、次回以降、この経路（交差点、進入道路、退出道路）又は同様の経路を走行する際に、運転者が音楽を聴いていなかったら、案内経路から逸脱しない可能性がある。
【０１１０】
一方、案内経路から逸脱したとき、運転者が音楽を聴いていなかった場合、運転者は、案内交差点を見落として、案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１１１】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１１２】
次に、操作状況を採用する場合、車両が案内経路から逸脱したことが検出されたとき、操作スイッチ群５０が操作中でないことを条件として、逸脱道路情報を記憶する。例えば、案内経路から逸脱したとき、運転者が操作部材を操作していた場合、運転者は、操作スイッチ群５０を操作していたことで、案内経路から逸脱した経路を選択したと考えることができる。従って、次回以降、この経路（交差点、進入道路、退出道路）又は同様の経路を走行する際に、運転者が操作スイッチ群５０を操作していなかったら、案内経路から逸脱しない可能性がある。
【０１１３】
一方、案内経路から逸脱したとき、運転者が操作スイッチ群５０を操作していなかった場合、運転者は、案内交差点を見落として、案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１１４】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１１５】
次に、図３に示すフローチャートに基づいて、カーナビ１００の案内経路の設定処理に関して説明する。この図３に示すフローチャートは、目的地が入力されたとき、又は出発地と目的地が入力されたときにスタートする。
【０１１６】
ステップＳ２０では、制御装置１０は、地図データ入力器３０から地図データを取得して（地図情報取得手段）、この取得した地図データに基づいて、出発地から目的地までの案内経路を探索（設定）する（経路設定手段）。
【０１１７】
ステップＳ２１では、制御装置１０は、ステップＳ２０で設定した案内経路において、記憶装置６０に記憶された逸脱道路情報の交差点及び道路と同一、又は同様の交差点及び道路があるか否かを検索する。なお、この逸脱道路情報と同様の交差点及び道路とは、交差点の接続道路数（換言すると、分岐数、又は接続リンク数）が同じであり、交差点に接続される道路間の角度（ノードに接続されるリンク間の角度）の差が所定の範囲内であり、交差点への進入道路の車線数が同じものを示す。
【０１１８】
ステップＳ２２では、ステップＳ２１での検索結果に基づいて、ステップＳ２０で設定した案内経路において、記憶装置６０に記憶された逸脱道路情報の交差点及び道路と同一、又は同様の交差点及び道路が有るか否かを判定する。そして、ないと判定した場合はステップＳ２４へ進み、有ると判定した場合はステップＳ２３へ進む。
【０１１９】
ステップＳ２３では、制御装置１０は、ステップＳ２１での検索で抽出された逸脱道路情報が示す退出道路に対して、案内経路に採用する際の優先度を、逸脱が検出される前よりも下げて案内経路を設定する（経路設定手段）。つまり、記憶装置６０に記憶された逸脱道路情報が示す退出道路、又は逸脱道路情報が示す交差点及び道路と同様の交差点及び道路における退出道路に対して、案内経路に採用する際の優先度を、逸脱が検出される前よりも下げて案内経路を設定する（経路設定手段）。
【０１２０】
そして、ステップＳ２４では、ステップＳ２０又はステップＳ２３で設定された案内経路を実際に経路案内に用いる案内経路に決定する（経路設定手段）。つまり、ステップＳ２２でＮＯ判定の場合は、ステップＳ２０で設定された案内経路を実際に経路案内に用いる案内経路に決定する。一方、ステップＳ２２でＹＥＳ判定の場合は、ステップＳ２３で設定された案内経路を実際に経路案内に用いる案内経路に決定する。
【０１２１】
制御装置１０は、このように、案内経路が決定すると、設定した案内経路と車両の位置情報とに基づいて、出発地から目的地までの経路案内を行う（経路案内手段）。
【０１２２】
このように、実際に車両が案内経路から逸脱した交差点及びそのときの進入道路と退出道路に関する逸脱道路情報を記憶しておく。そして、案内経路を設定する際には、逸脱しそうな経路（交差点、進入道路、退出道路）における退出道路に対して、案内経路に採用する際の優先度を、逸脱が検出される前よりも下げて案内経路を設定することによって、案内経路に上述のような経路が含まれることを抑制でき、逸脱しにくい適切な案内経路を設定することができる。
【０１２３】
なお、上述の逸脱道路情報を記憶するか否かを判定するための状況としては、逸脱した交差点における車両（自車両）の走行車線に対する対向車線の車両数、案内経路における逸脱した交差点からの退出道路の横断歩行者数、案内経路における逸脱した交差点からの退出道路の渋滞度、案内経路における逸脱した交差点の信号機の有無、車両の走行速度（車速）、車両の室内における会話状況、車両の室内における音声出力状況、操作スイッチ群５０の操作状況の少なくとも一つを記憶すれば本発明の目的は達成できるものである。
【０１２４】
よって、上述の車両数、横断歩行者数、渋滞度、信号機の有無を採用しない場合は、通信装置４０を設けたり、制御装置１０が逸脱道路状況を記憶するか否かを判定するために、これらの状況を示す情報を取得したりする必要はない。同様に、車両の走行速度（車速）を採用しない場合は、制御装置１０は逸脱道路状況を記憶するか否かを判定するために車速信号を取得する必要はない。同様に、車両の室内における会話状況を採用しない場合は、カーナビ１００にボイスレコーダ９０を設けたり、制御装置１０が逸脱道路状況を記憶するか否かを判定するために会話状況を示す情報を取得したりする必要はない。同様に、車両の室内における音声出力状況を採用しない場合は、カーナビ１００に音声出力装置８０を設けたり、制御装置１０が逸脱道路状況を記憶するか否かを判定するために音声出力状況を示す情報を取得したりする必要はない。同様に、操作スイッチ群５０の操作状況を採用しない場合は、制御装置１０は逸脱道路状況を記憶するか否かを判定するために操作状況を示す情報を取得する必要はない。
【０１２５】
また、制御装置１０に車両の運転者の交差点における運転傾向を取得する（運転傾向取得手段）機能を備える場合、制御装置１０は、取得した運転傾向が交差点を逸脱しない傾向を示すことを条件として、逸脱道路情報を記憶装置６０などに記憶する（逸脱道路情報記憶手段）ようにしてもよい。
【０１２６】
また、制御装置１０に車両の運転者が急いでいるか否かを示す緊急度を判断する（緊急度判断手段）機能を備える場合、制御装置１０は、取得した運転者の緊急度が所定値に達してないことを条件として、逸脱道路情報を記憶装置６０などに記憶する（逸脱道路情報記憶手段）ようにしてもよい。なお、この緊急度は、経路案内中において、目的地への到達予測時間に対して、車両の現在位置から目的地までの距離と、その時の現在時刻とによって判断することができる。
【０１２７】
また、交差点情報及び道路情報を逸脱道路情報として記憶（登録）するか否かを判定するための情報（車両の外部状況）としては、上述の他に、走行車線の規制情報などを採用することもできる。
【０１２８】
この規制情報を採用する場合、案内経路における逸脱した交差点からの退出道路の規制情報がないことを条件として逸脱道路情報を記憶する。例えば、案内経路に従って交差点を右折又は左折しようとしたとき、退出道路が走行規制されていた場合、運転者は、走行規制を嫌がって、案内経路から逸脱した経路を選択した可能性がある。つまり、運転者は、意図的に案内経路から逸脱した経路を選択したと考えることができる。
【０１２９】
一方、走行規制がなかった場合は、運転者は、走行車線が規制されていないにもかかわらず、案内経路から逸脱した経路を選択した可能性がある。このような場合、運転者は、案内交差点を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１３０】
よって、このようにすることによっても、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１３１】
また、交差点情報及び道路情報を逸脱道路情報として記憶（登録）するか否かを判定するための情報（車両の外部状況）としては、上述の他に、逸脱が検出された交差点に車両が進入するときに走行した道路の右折又は左折レーン（車線）の有無を示す情報を採用することもできる。なお、ここでの右折レーン又は左折レーンの有無は、案内経路に設定された退出道路方向への右折レーン又は左折レーンの有無である。
【０１３２】
この右折又は左折レーンの有無を示す情報を採用する場合、逸脱が検出された交差点に車両が進入するときに走行した道路に右折レーン又は左折レーンがあることを条件として逸脱道路情報を記憶する。例えば、案内経路において右折又は左折が案内された案内交差点で逸脱したとき、交差点に車両が進入するときに走行した道路に右折レーン又は左折レーンが無かった場合、運転者は、交差点に気づかず、案内経路から逸脱した経路を選択したと考えることができる。従って、次回以降、この経路（交差点、進入道路、退出道路）又は同様の経路を走行する際に、案内交差点に右折レーン又は左折レーンがあると、案内経路から逸脱しない可能性がある。
【０１３３】
一方、右折レーン又は左折レーンが有った場合は、運転者は、交差点は認識していたが、案内交差点であることがわからずに、案内経路から逸脱した経路を選択したと考えることができる。従って、次回以降、この経路（交差点、進入道路、退出道路）又は同様の経路を走行する際に、右折レーン又は左折レーンが有っても、案内経路から逸脱する可能性が高いとみなすことができる。
【０１３４】
このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１３５】
また、交差点情報及び道路情報を逸脱道路情報として記憶（登録）するか否かを判定するための情報（車両の外部状況）としては、上述の他に、案内経路における逸脱した交差点からの退出道路の車線数を示す情報を採用することもできる。
【０１３６】
この、退出道路の車線数を示す情報を採用する場合、案内経路における逸脱した交差点からの退出道路の車線数が所定値以上（例えば、２車線以上、車線通ｎ≧２）でないことを条件として逸脱道路情報を記憶する。
【０１３７】
例えば、案内経路に従って交差点を右折又は左折しようとしたとき、退出道路が２車線以上あった場合、運転者は、案内交差点であることを認識していながら、意図的に案内経路から逸脱した経路を選択したと考えることができる。
【０１３８】
一方、１車線であった場合は、運転者は、案内交差点を見落として、意図せずに案内経路から逸脱した経路を選択したと考えることができる。従って、次回以降、この経路（交差点、進入道路、退出道路）又は同様の経路を走行する際にも、案内経路から逸脱する可能性が高いとみなすことができる。
【０１３９】
よって、このようにすることによって、逸脱する可能性が高い経路（交差点、進入道路、退出道路）、つまり、案内経路において右折又は左折が案内される交差点であることが分かりづらい交差点における退出道路の優先度を下げることで、より一層適切な案内経路を設定することができる。
【０１４０】
（変形例１）
次に、変形例１における経路案内装置を図５〜図９に基づいて説明する。
【０１４１】
本実施の形態における経路案内装置は、図５に示すように、カーナビ１００と、車両外部のセンター２００に設けられるセンター側装置（制御装置２１０、通信装置２２０、データベース２３０）とを含む。このカーナビ１００とセンター側装置とは通信可能なものである。
【０１４２】
なお、カーナビ１００は、上述の実施の形態と類似するので、主に異なる点に関して説明する。また、上述の実施の形態と同じ箇所は、図面において同じ符号を付与して説明を省略する。
【０１４３】
この変形例１におけるカーナビ１００は、図５に示すように、上述の実施の形態での構成に加えて、センター２００に設けられる通信装置２２０との通信を行なう第２通信装置４１を備える。なお、第１通信装置４０は、上述の実施の形態における通信装置４０と同等のものである。
【０１４４】
一方、このカーナビ１００と通信可能なセンター２００は、センター側装置として、サーバーなどによって構成される制御装置２１０、カーナビ１００の第２通信装置４１と通信可能な通信装置２２０、逸脱道路情報が記憶されるデータベース２３０などを備える。
【０１４５】
ここで、変形例１における経路案内装置の処理動作に関して説明する。
【０１４６】
まず、図６に示すフローチャートに基づいて、変形例１におけるカーナビ１００の逸脱道路情報の送信処理に関して説明する。なお、この図６に示すフローチャートのステップＳ３０〜ステップＳ３４は、上述の図２に示すフローチャートのステップＳ１０〜ステップＳ１４と略同一であるため説明を省略する。
【０１４７】
ステップＳ３５では、カーナビ１００の制御装置１０は、ステップＳ３４で送信すると判定されると、逸脱が検出された交差点に車両が進入するときに走行した道路に関する道路情報を交差点に対する進入道路を示す進入道路情報として、また、逸脱が検出された交差点から車両が退出する際に走行した道路に関する道路情報を交差点に対する退出道路を示す退出道路情報として、車両が逸脱した交差点に関する交差点情報と関連付けられた逸脱道路情報を、車両の運転者固有の識別情報とともに、第２通信装置４１からセンター２００（通信装置２２０）に送信する（車両側第１送信手段）。なお、車両の運転者固有の識別情報は、カーナビ１００の記憶装置６０などに記憶しておくことができる。
【０１４８】
次に、図７に示すフローチャートに基づいて、変形例１におけるセンター２００の逸脱道路情報の登録処理に関して説明する。
【０１４９】
ステップＳ４０では、センター２００の制御装置２１０は、センター２００の通信装置２２０にて逸脱道路情報を受信したか否かを判定する。そして、逸脱道路情報を受信（センター側第１受信手段）したと判定するとステップＳ４１へ進み、逸脱道路情報を受信してないと判定するとステップＳ４０での判定を繰り返す。
【０１５０】
ステップＳ４１では、センター２００の制御装置２１０は、カーナビ１００の第２通信装置４１から送信された逸脱道路情報を識別情報と関連付けてデータベース２３０に記憶（登録）する（逸脱道路情報記憶手段）。つまり、上述の実施の形態においては、カーナビ１００に逸脱道路情報を記憶していたのに対して、変形例１においては、センター２００のデータベース２３０に逸脱道路情報を記憶する。なお、このセンター２００の制御装置２１０が取得した逸脱道路情報は、図６のステップＳ３３で取得した状況に基づいて送信すると判定された結果、カーナビ１００から送信されたものである。よって、この逸脱道路情報は、逸脱道路情報を記憶する条件を満たしているものである。
【０１５１】
次に、図８に示すフローチャートに基づいて、変形例１におけるカーナビ１００の案内経路の設定処理に関して説明する。この図８に示すフローチャートは、目的地が入力されたとき、又は出発地と目的地が入力されたときにスタートする。つまり、出発地から目的地までの案内経路の設定が指示されるとスタートする。
【０１５２】
ステップＳ５０では、カーナビ１００の制御装置１０は、出発地情報と目的地情報及び運転者固有の識別情報を第２通信装置４１からセンター２００（通信装置２２０）に送信する（車両側第２送信手段）。
【０１５３】
ステップＳ５１では、カーナビ１００の制御装置１０は、第２通信装置４１にて逸脱道路情報を受信したか否かを判定する。そして、逸脱道路情報を受信（車両側受信手段）したと判定するとステップＳ５３へ進み、逸脱道路情報を受信してないと判定するとステップＳ５２へ進む。
【０１５４】
なお、ステップＳ５２での処理は、上述の図３のステップＳ２０での処理と同一であり、ステップＳ５３での処理は、上述の図３のステップＳ２３での処理と同様（ただし、この場合、再探索ではない）であり、ステップＳ５４での処理は、上述の図３のステップＳ２４での処理と同一であるため説明を省略する。
【０１５５】
次に、図９に示すフローチャートに基づいて、変形例１におけるセンター２００の逸脱道路情報の送信処理に関して説明する。
【０１５６】
ステップＳ６０では、センター２００の制御装置２１０は、カーナビ１００の第２通信装置４１から送信された出発地情報と目的地情報と識別情報とを受信したいか否かを判定する。そして、受信した（センター側第２受信手段）と判定するとステップＳ６１へ進み、受信してないと判定するとステップＳ６０での判定を繰り返す。
【０１５７】
ステップＳ６１では、センター２００の制御装置２１０は、受信した出発地情報が示す出発地から目的地情報が示す目的地までの案内経路を探索する。なお、この案内経路の探索処理は、上述の図３のＳ２０での処理と同様であるため、説明を省略する。
【０１５８】
ステップＳ６２では、センター２００の制御装置２１０は、上述の図３のステップＳ２１と同様に検索を行うものであるが、ここでは、データベース２３０に記憶されている受信した識別情報に関連付けられた逸脱道路情報が検索対象となる。つまり、識別情報に関連付けられた逸脱道路情報であり、かつ、受信した出発地情報と目的地情報に関連する逸脱道路情報を検索する（検索手段）。なお、ここでの逸脱道路情報は、ステップＳ６１で探索された案内経路における交差点を含む逸脱道路情報とする。
【０１５９】
ステップＳ６３では、センター２００の制御装置２１０は、ステップＳ６２での検索によって、該当する逸脱道路情報が有ったか否かを判定する。そして、該当する逸脱道路情報が有ったと判定した場合は、ステップＳ６４へ進み、該当する逸脱道路情報が無かったと判定した場合は、ステップＳ６０へ戻る。なお、該当する逸脱道路情報が無かったと判定した場合は、カーナビ１００に対して、該当する逸脱道路情報が無かったと旨を示す情報を送信するようにしてもよい。
【０１６０】
そして、ステップＳ６４では、センター２００の制御装置２１０は、ステップＳ６２での検索で抽出された逸脱道路情報を通信装置２２０からカーナビ１００に送信する（センター側送信手段）。
【０１６１】
このようにすることによって、運転者が自身の車両（例えば、レンタカーなど）以外を運転するときでも、逸脱しにくい適切な案内経路を設定することができる。
【０１６２】
なお、ここでは、出発地情報と目的地情報に関連する逸脱道路情報として、探索した案内経路における交差点を含む逸脱道路情報を検索する例を採用したが、本発明これに限定されるものではない。出発地情報と目的地情報に関連する逸脱道路情報として、探索した案内経路における交差点を含む逸脱道路情報に加えて、案内経路における交差点から所定範囲にある交差点を含む逸脱道路情報を検索するようにしてもよい。
【０１６３】
なお、センター２００（制御装置２１０）で受信した回数が所定値に達している逸脱道路情報は、複数の運転者が同じところで案内経路から逸脱したと考えることができる。つまり、特に案内経路に該当する道路が分かりづらい交差点であると考えることができる。よって、センター２００の制御装置２１０は、受信した逸脱道路情報の統計をとって、受信した回数が所定値に達している逸脱道路情報に関しては、全てのカーナビ２００に送信すると好ましい。
【０１６４】
（変形例２）
次に、変形例２における経路案内装置を図１０〜図１４に基づいて説明する。
【０１６５】
本実施の形態における経路案内装置は、カーナビ１００と、車両外部のセンター２００に設けられるセンター側装置（制御装置２１０、通信装置２２０、データベース２３０）とを含む。なお、変形例２における経路案内装置の構成は、上記変形例１（図５）と同様であるため詳しい説明は省略する。
【０１６６】
上記変形例１においては、カーナビ１００は、制御装置１０が送信すると判定（車両が案内経路から逸脱した時の状況（状況を示す情報）に基づいて判定）した逸脱道路情報をセンター２００に送信していた。しかしながら、本発明はこれに限定されるものではない。
【０１６７】
この変形例２に示すように、カーナビ１００は、車両が案内経路から逸脱した時の状況（状況を示す情報）、及び車両が案内経路から逸脱した際の進入道路情報と、退出道路情報と、交差点に関する交差点情報とが関連付けられた情報をセンター２００に送信するようにしてもよい。この場合、センター２００の制御装置２１０は、車両が案内経路から逸脱した時の状況（状況を示す情報）に基づいて、車両が案内経路から逸脱した際の進入道路情報と、退出道路情報と、交差点に関する交差点情報とが関連付けられた情報を逸脱道路情報として記憶するか否かを判定する。つまり、上述の図６のフローチャートにおけるステップＳ３４の判定をセンター２００の制御装置２１０が行う。
【０１６８】
なお、このカーナビ１００がセンター２００に送信する、車両が案内経路から逸脱した際の進入道路情報と、退出道路情報と、交差点情報とが関連付けられた情報は、変形例１のように状況（車両が案内経路から逸脱した時の状況）に基づいて送信すると判定されたものではない。つまり、図１０のステップＳ７７においてカーナビ１００がセンター２００に送信する逸脱道路情報は、変形例１のように状況に基づいて送信すると判定されたものではない。従って、カーナビ１００は、車両が案内経路から逸脱するたびに、進入道路情報と、退出道路情報と、交差点情報とが関連付けられた情報をセンター２００に送信する。しかしながら、変形例２においては、便宜上、この情報に関しても逸脱道路情報と称する。
【０１６９】
ここで、変形例２におけるカーナビ１００の処理動作に関して説明する。
【０１７０】
まず、図１０に示すフローチャートに基づいて、変形例２におけるカーナビ１００の逸脱道路情報の送信処理に関して説明する。なお、この図１０に示すフローチャートのステップＳ７０〜ステップＳ７２は、上述の図６に示すフローチャートのステップＳ３０〜ステップＳ３２（つまり、上述の図２に示すフローチャートのステップＳ１０〜ステップＳ１２）と同じであるため説明を省略する。
【０１７１】
ステップＳ７３では、カーナビ１００の制御装置１０は、逸脱が検出された交差点に車両が進入するときに走行した道路（進入リンク、交差点への進入道路）の確認処理を行う。
【０１７２】
ここで、図１１に基づいて、この進入リンクの確認処理に関して説明する。ステップＳ７１０では、カーナビ１００の制御装置１０は、逸脱が検出された際にＲＡＭなどに記憶した道路情報（進入道路情報）から、逸脱が検出された交差点に車両が進入するときに走行した道路に右折レーン又は左折レーンが有るか否かを確認する。そして、右折レーン又は左折レーンが無いと判定した場合はステップＳ７１１へ進み、有ると判定した場合は進入リンク確認処理を終了して図１０のフローチャートに戻る（リターン）。なお、ここでの右折レーン又は左折レーンの有無は、案内経路に設定された退出道路方向への右折レーン又は左折レーンの有無である。つまり、交差点から右折するように案内経路が設定されていた場合、右折レーンがあった場合はＹＥＳと判定され、右折レーン及び左折レーンがともに無かった場合や、左折レーンのみがあった場合はＮＯと判定される。また、ここでの道路情報は、上述のように、車両が案内経路から逸脱したと検出されたときに交差点に進入する際に走行した道路に関するものである。
【０１７３】
ステップＳ７１１では、カーナビ１００の制御装置１０は、逸脱が検出された交差点に車両が進入するときに走行した道路（進入リンク）に右折又は左折レーンが無いことを示す情報を逸脱道路情報に加える。例えば、フラグを立てるなどして逸脱道路情報に加える。
【０１７４】
次に、図１０のフローチャートに戻って、ステップＳ７４では、カーナビ１００の制御装置１０は、逸脱が検出された交差点（ノード）の確認処理を行う。
【０１７５】
ここで、図１２に基づいて、このノードの確認処理に関して説明する。ステップＳ７２０では、カーナビ１００の制御装置１０は、逸脱が検出された際にＲＡＭなどに記憶した交差点情報から、逸脱が検出された交差点に信号機が有るか否かを確認する。そして、信号機が無いと判定した場合はステップＳ７２１へ進み、有ると判定した場合はノード確認処理を終了して図１０のフローチャートに戻る（リターン）。なお、ここでの交差点情報は、上述のように、車両が案内経路から逸脱したと検出されたときの交差点に関するものである。
【０１７６】
ステップＳ７２１では、カーナビ１００の制御装置１０は、逸脱が検出された交差点（ノード）に信号機が無いことを示す情報を逸脱道路情報に加える。例えば、フラグを立てるなどして逸脱道路情報に加える。
【０１７７】
次に、図１０のフローチャートに戻って、ステップＳ７５では、カーナビ１００の制御装置１０は、案内経路における逸脱した交差点からの退出道路（退出リンク）の確認処理を行う。
【０１７８】
ここで、図１３に基づいて、この退出リンクの確認処理に関して説明する。ステップＳ７３０では、カーナビ１００の制御装置１０は、案内経路における逸脱した交差点からの退出道路（退出リンク）の車線数が二車線以上（車線数ｎ≧２）であるか否かを確認する。この退出道路は、案内経路に設定されていたにもかかわらず、車両が走行しなかった道路である。そして、二車線以上（車線数ｎ≧２）であると判定した場合はステップＳ７３１へ進み、二車線以上（車線数ｎ≧２）でないと判定した場合はステップＳ７３２へ進む。
【０１７９】
ステップＳ７３１では、カーナビ１００の制御装置１０は、案内経路における逸脱した交差点からの退出道路（退出リンク）の車線数が二車線以上（車線数ｎ≧２）であることを示す情報を逸脱道路情報に加える。例えば、フラグを立てるなどして逸脱道路情報に加える。
【０１８０】
ステップＳ７３２では、カーナビ１００の制御装置１０は、案内経路における逸脱した交差点からの退出道路（退出リンク）が渋滞していたか否かを確認する。そして、渋滞していたと判定した場合はステップＳ７３３へ進み、渋滞してなかったと判定した場合は退出リンク確認処理を終了して図１０のフローチャートに戻る（リターン）。なお、渋滞していたか否かの判定は、渋滞度が所定値以上であるか否かによって判定することができる。
【０１８１】
ステップＳ７３３では、カーナビ１００の制御装置１０は、案内経路における逸脱した交差点からの退出道路（退出リンク）が渋滞していたことを示す情報を逸脱道路情報に加える。例えば、フラグを立てるなどして逸脱道路情報に加える。
【０１８２】
次に、図１０のフローチャートに戻って、ステップＳ７６では、カーナビ１００の制御装置１０は、逸脱が検出された際の外部要因の確認処理を行う。この外部要因とは、道路状況（進入リンク、ノード、退出リンク）以外の状況であり、上記実施の形態における車室内の状況や、車速などである。
【０１８３】
ここで、図１４に基づいて、この外部要因の確認処理に関して説明する。ステップＳ７４０では、カーナビ１００の制御装置１０は、車両が案内経路から逸脱したと検出されたとき、車両の車速信号が所定値以上だったか否かを確認する。そして、車速信号が所定値以上であったと判定した場合はステップＳ７４１へ進み、車速信号が所定値以上でなかったと判定した場合はステップＳ７４２へ進む。
【０１８４】
ステップＳ７４１では、カーナビ１００の制御装置１０は、車両が案内経路から逸脱したと検出されたときの車速信号が所定値以上であったことを示す情報を逸脱道路情報に加える。例えば、フラグを立てるなどして逸脱道路情報に加える。
【０１８５】
ステップＳ７４２では、カーナビ１００の制御装置１０は、車両が案内経路から逸脱したと検出されたとき、車両の運転者が会話中であったか否かを確認する。そして、会話中であったと判定した場合はステップＳ７４３へ進み、会話中ではなかったと判定した場合はステップＳ７４４へ進む。
【０１８６】
ステップＳ７４３では、カーナビ１００の制御装置１０は、車両が案内経路から逸脱したと検出されたとき、車両の運転者が会話中であったことを示す情報を逸脱道路情報に加える。例えば、フラグを立てるなどして逸脱道路情報に加える。
【０１８７】
ステップＳ７４４では、カーナビ１００の制御装置１０は、車両が案内経路から逸脱したと検出されたとき、室内に音声が出力されていたか否かを確認する。そして、音声が出力されていたと判定した場合はステップＳ７４５へ進み、音声が出力されていなかったと判定した場合はステップＳ７４６へ進む。
【０１８８】
ステップＳ７４５では、カーナビ１００の制御装置１０は、車両が案内経路から逸脱したと検出されたとき、室内に音声が出力されていたことを示す情報を逸脱道路情報に加える。例えば、フラグを立てるなどして逸脱道路情報に加える。
【０１８９】
ステップＳ７４６では、カーナビ１００の制御装置１０は、車両が案内経路から逸脱したと検出されたとき、操作スイッチ群５０が操作中であったか否かを確認する。そして、操作中であったと判定した場合はステップＳ７４７へ進み、操作中でなかったと判定した場合は外部要因確認処理を終了して図１０のフローチャートに戻る（リターン）。
【０１９０】
ステップＳ７４７では、カーナビ１００の制御装置１０は、車両が案内経路から逸脱したと検出されたとき、操作スイッチ群５０が操作中であったことを示す情報を逸脱道路情報に加える。例えば、フラグを立てるなどして逸脱道路情報に加える。
【０１９１】
そして、図１０のフローチャートに戻って、ステップＳ７７では、カーナビ１００の制御装置１０は、車両が案内経路から逸脱した時の状況（状況を示す情報）、及び車両が案内経路から逸脱した際の進入道路情報と、退出道路情報と、交差点に関する交差点情報とが関連付けられた逸脱道路情報を、車両の運転者固有の識別情報とともに、第２通信装置４１からセンター２００（通信装置２２０）に送信する（車両側第１送信手段）。
【０１９２】
そして、この逸脱道路情報を受信したセンター２００の制御装置２１０は、車両が案内経路から逸脱した時の状況（状況を示す情報）に基づいて、車両が案内経路から逸脱した際の進入道路情報と、退出道路情報と、交差点に関する交差点情報とが関連付けられた情報を記憶（データベース２３０に記憶（登録））するか否かを判定する。つまり、上述の図６のフローチャートにおけるステップＳ３４の判定をセンター２００の制御装置２１０が行う。
【０１９３】
このようにすることによって、センター２００の制御装置２１０は、車両が案内経路から逸脱したときの状況を把握することができる。
【０１９４】
また、個人の情報がセンターに蓄積される事により、一部の運転者のみが逸脱した道路（交差点への進入道路、交差点からの退出道路）なのか、多くの運転者が逸脱する道路(交差点への進入道路、交差点からの退出道路)なのかを統計的に判断する事が可能となる。これにより、初めてこの道路(交差点への進入道路、交差点からの退出道路)を経路案内する他の運転者(逸脱道路情報に同じ、又は同様な道路が登録されていない運転者)に他の運転者が頻繁に逸脱するポイントとして注意喚起する事が可能となる。注意喚起の方法としては、特別な音声案内を実施する、経路計算時にポップアップとして、他の運転者が頻繁に逸脱する道路を案内することを表示する事などが可能である。また、これらの情報を基にしてインフラ整備(信号の整備、看板整備など)を行う事も可能である。
【０１９５】
なお、センター２００の制御装置２１０は、上述の図９に示すフローチャートと同様の処理を行う。また、上述のように、出発地情報と目的地情報に関連する逸脱道路情報として、探索した案内経路における交差点を含む逸脱道路情報に加えて、案内経路における交差点から所定範囲にある交差点を含む逸脱道路情報を検索するようにしてもよい。また、記憶すると判定した逸脱道路情報の統計をとって、受信した回数が所定値に達している逸脱道路情報に関しては、全てのカーナビ２００に送信するようにしてもよい。
【０１９６】
また、ここでは、進入リンク、ノード、退出リンク、外部要因（車速、室内状況）を状況として採用しているが、本発明はこれに限定されるものではない。上述の実施の形態に示したように、逸脱した交差点における車両（自車両）の走行車線に対する対向車線の車両数を示す情報、案内経路における逸脱した交差点からの退出道路の横断歩行者数を示す情報、案内経路における逸脱した交差点からの退出道路の規制情報などを採用してもよい。
【０１９７】
さらに、カーナビ１００からセンター２００へ送信する情報に、運転者の交差点における運転傾向を示す情報、運転者の緊急度を示す情報などを含めるようにしてもよい。従って、センター２００の制御装置２１０は、上述の状況に加えて、運転傾向を示す情報、運転者の緊急度を示す情報を考慮して、車両が案内経路から逸脱した際の進入道路情報と、退出道路情報と、交差点に関する交差点情報とが関連付けられた情報を記憶するか否かを判定するようにしてもよい。
【０１９８】
以上、本発明の好ましい実施形態について説明したが、本発明は上述した実施形態に何ら制限されることはなく、本発明の趣旨を逸脱しない範囲において、種々の変形が可能である。
【符号の説明】
【０１９９】
１０  制御装置、２０  位置検出器、３０  地図データ入力器、４０  通信装置、５０  操作スイッチ群、６０  記憶装置、７０  表示装置、８０  音声出力装置、９０  ボイスレコーダ、１００  カーナビ
【図１】
0005459135.tif 000002
【図２】
0005459135.tif 000003
【図３】
0005459135.tif 000004
【図４】
0005459135.tif 000005
【図５】
0005459135.tif 000006
【図６】
0005459135.tif 000007
【図７】
0005459135.tif 000008
【図８】
0005459135.tif 000009
【図９】
0005459135.tif 000010
【図１０】
0005459135.tif 000011
【図１１】
0005459135.tif 000012
【図１２】
0005459135.tif 000013
【図１３】
0005459135.tif 000014
【図１４】
0005459135.tif 000015